(57)【要約】    【課題】  本発明は、機器筐体の外表面に着替えパネルを取外し自在に装着して成る電子機器を対象とし、機器筐体に対して着替えパネルを確実に装着することができ、併せて着替えパネルの交換作業を容易に実施し得る電子機器の提供を目的とする。    【解決手段】  本発明の電子機器は、矩形状を呈する着替えパネルの一方端部と機器筐体との間に爪部と凹部とから成る第１係合手段を設け、着替えパネルの他方端部と機器筐体に装着される固定部材との間に爪部と凹部とから成る第２係合手段を設け、さらに機器筐体の外表面に着替えパネルの裏面と貼着して該着替えパネルを保持する粘着シートを設けている。    【選択図】  図４
2008245133.tif 000002
【特許請求の範囲】
【請求項１】
機器筐体の外表面に着替えパネルを取外し自在に装着して成る電子機器であって、
矩形状を呈する着替えパネルの一方端部と前記機器筐体との間に爪部と凹部とから成る第１係合手段を設け、
前記着替えパネルの他方端部と前記機器筐体に装着される固定部材との間に爪部と凹部とから成る第２係合手段を設け、
前記機器筐体の外表面に前記着替えパネルの裏面と貼着して該着替えパネルを保持する粘着シートを設けたことを特徴とする電子機器。
【請求項２】
前記粘着シートにおける前記固定部材と臨む縁部に、切欠部を形成したことを特徴とする請求項１記載の電子機器。
【請求項３】
前記着替えパネルの左右側部と前記機器筐体との間に、爪部と凹部とから成る仮止係合手段を設けたことを特徴とする請求項２記載の電子機器。
【発明の詳細な説明】
【技術分野】
【０００１】
本発明は、機器筐体の外表面に着替えパネルを取外し自在に装着して成る電子機器に関するものである。
【背景技術】
【０００２】
昨今、電子機器の一例である携帯電話機には、外観の装飾を使用者の気分やファションに合わせて変えることを目的として、機器筐体の外表面に着替えパネルを取外し自在に装着して成る、いわゆる「着替え携帯」が提供されている(例えば、特許文献１参照)。
【０００３】
図５〜図７に示した従来の携帯電話機Ａは、下筐体Ｂにヒンジ部Ｈを介して連結された上筐体Ｃの外表面に、着替えパネルＰが取外し可能に装着されており、この着替えパネルＰは上筐体Ｃに形成された装着凹部Ｃｒに設置されている。
【０００４】
上記着替えパネルＰの一方端部Ｐｕには、一対の爪部Ｐａ、Ｐａが形成されている一方、上記着替えパネルＰの他方端部Ｐｌには一対の爪部５ｂ、５ｂが形成されているとともに、これら爪部５ｂ、５ｂを挟んで一対の爪部５ｃ、５ｃが形成されている。
【０００５】
上筐体Ｃに形成された一対の凹部Ｃａ、Ｃａに、着替えパネルＰにおける一方端部Ｐｕの爪部Ｐａ、Ｐａを係合させ、着替えパネルＰを揺動させて装着凹部Ｃｒに嵌め入れ、上筐体Ｃに形成された一対の凹部Ｃｃ、Ｃｃに、着替えパネルＰにおける他方端部Ｐｌの爪部Ｐｃ、Ｐｃを係合させて、上筐体Ｃに着替えパネルＰを仮止めしたのち、上筐体ＣにキャップＱを装着して、該キャップＱに形成した一対の凹部Ｑｂ、Ｑｂと、着替えパネルＰにおける他方端部Ｐｌの爪部Ｐｂ、Ｐｂを係合させることにより、上筐体Ｃの外表面に対して着替えパネルＰを装着している。
【特許文献１】特開２００４−８０３９０号公報
【発明の開示】
【発明が解決しようとする課題】
【０００６】
ところで、上述した構成の携帯電話機Ａにおいては、上筐体Ｃに着替えパネルＰを装着する際、上記着替えパネルＰを上筐体Ｃに仮止めする必要があり、このため、着替えパネルＰの他方端部Ｐｌに爪部Ｐｃ、Ｐｃを形成し、この爪部Ｐｃ、Ｐｃを上筐体Ｃの凹部Ｃｃ、Ｃｃに係合させているが、着替えパネルＰの他方端部Ｐｌを引き上げて上筐体Ｃから取外す場合、爪部Ｐｃと凹部Ｃｃとの係合を解くために大きな力を必要とし、着替えパネルＰの取外し性、延いては上筐体Ｃに対する着替えパネルＰの交換に関わる作業性の低下を招いていた。
【０００７】
また、上述した構成の携帯電話機Ａにおいて、上筐体Ｃに装着されている着替えパネルＰは、一方端部Ｐｕと他方端部Ｐｌとが上筐体Ｃに係止されているのみなので、落下等の強い衝撃を受けた際に上筐体Ｃから脱落し易く、さらに互いに係合する爪部および凹部が摩滅する等により、着替えパネルＰにガタつきが生じることで、製品としての品質を損なってしまう不都合があった。
【０００８】
本発明は上記実状に鑑みて、機器筐体に対して着替えパネルを確実に装着することができ、併せて着替えパネルの交換作業を容易に実施し得る電子機器の提供を目的とするものである。
【課題を解決するための手段】
【０００９】
上記目的を達成するべく、請求項１の発明に関わる電子機器は、機器筐体の外表面に着替えパネルを取外し自在に装着して成る電子機器であって、矩形状を呈する着替えパネルの一方端部と機器筐体との間に爪部と凹部とから成る第１係合手段を設け、着替えパネルの他方端部と機器筐体に装着される固定部材との間に爪部と凹部とから成る第２係合手段を設け、機器筐体の外表面に着替えパネルの裏面と貼着して該着替えパネルを保持する粘着シートを設けたことを特徴としている。
【００１０】
また、請求項２の発明に関わる電子機器は、請求項１の発明に関わる電子機器において、粘着シートにおける固定部材と臨む縁部に、切欠部を形成したことを特徴としている。
【００１１】
また、請求項３の発明に関わる電子機器は、請求項２の発明に関わる電子機器において、着替えパネルの左右側部と機器筐体との間に、爪部と凹部とから成る仮止係合手段を設けたことを特徴としている。
【発明の効果】
【００１２】
請求項１の発明に関わる電子機器によれば、着替えパネルの装着される機器筐体の外表面に、上記着替えパネルの裏面と貼着する粘着シートを設けたことにより、機器筐体に対する着替えパネルの装着時において、爪部と凹部とから成る仮止め用の係合手段を設けることなく、上記着替えパネルを機器筐体に対して仮止めすることができ、もって着替えパネルの取外し性、延いては機器筐体に対する着替えパネルの交換に関わる作業性を向上させることが可能となる。
【００１３】
また、第１係合手段および第２係合手段に併せ、粘着シートによっても着替えパネルを機器筐体に保持しているので、機器筐体に対して着替えパネルを確実に装着することができ、落下等の強い衝撃を受けた際の着替えパネルの脱落や、機器筐体に対する着替えパネルのガタつきを未然に防止し得る。
【００１４】
請求項２の発明に関わる電子機器によれば、固定部材に臨む粘着シートの縁部に切欠部を形成したことで、機器筐体から着替えパネルを取り外す場合、着替えパネルの他方端部に指を掛けて引き上げることが容易となり、もって機器筐体に対する着替えパネルの取外し作業、延いては着替えパネルの交換作業を容易に実施することが可能となる。
【００１５】
請求項３の発明に関わる電子機器によれば、着替えパネルの左右側部と機器筐体との間に仮止係合手段を設けたことで、着替えパネルの取付け時における仮止めが確実に成され、かつ粘着シートと協働して着替えパネルを確実に保持し得るとともに、着替えパネルの端部に仮止め用の係合手段を設けていた従来構造に比べ、遙かに小さい力で着替えパネルの他方端部を引き上げることができ、機器筐体に対する着替えパネルの取外し作業を阻害することがない。
【発明を実施するための最良の形態】
【００１６】
以下、実施例を示す図面に基づいて、本発明を詳細に説明する。  
図１〜図５は、電子機器の一態様である携帯電話機に本発明を適用した実施例を示しており、この携帯電話機１は、下筐体２と上筐体３とをヒンジ部４を介して連結した折畳式の携帯電話機であって、閉じた状態における上筐体３の外表面には、着替えパネル５が後述する如く取外し可能に装着されている。
【００１７】
図２および図３に示す如く、上記着替えパネル５は、上筐体３における外表面のほぼ全域を覆う矩形状を呈し、その長手方向における一方端部５ｕには、左右に離隔した一対の爪部５ａ、５ａが形成されており、同じく長手方向における他方端部５ｌには、左右に離隔した一対の爪部５ｂ、５ｂが形成されている。
【００１８】
また、上記着替えパネル５における左右の側部５ｓ、５ｓには、それぞれ２個の爪部５ｃ、５ｃが形成されており、これら爪部５ｃ、５ｃは、側部５ｓのほぼ中央の部位と、他方端部５ｌに近接した部位とに形成されている。
【００１９】
一方、上筐体３の外表面には、着替えパネル５の平面形状に対応した装着凹部３Ａが陥没形成されており、また、上筐体３の端部には、上記装着凹部３Ａに臨む態様で、キャップ(固定部材)６が取外し可能に装着されている。
【００２０】
上筐体３における装着凹部３Ａの一方端部３Ａｕには、左右に離隔した一対の凹部３ａ、３ａが形成されており、この凹部３ａと着替えパネル５の一方端部５ｕに形成された爪部５ａとによって、上筐体３に着替えパネル５を装着するための第１係合手段１０が構成されている。
【００２１】
また、キャップ６における端部６ｌには、左右に離隔した一対の凹部６ｂ、６ｂが形成されており、この凹部６ｂと着替えパネル５の他方端部５ｌに形成された爪部５ｂとによって、上筐体３に着替えパネル５を装着するための第２係合手段２０が構成されている。
【００２２】
さらに、上筐体３における装着凹部３Ａの左右側部３Ａｓ、３Ａｓには、それぞれ２個の凹部３ｃ、３ｃが形成されており、この凹部３ｃと着替えパネル５の側部５ｓに形成された爪部５ｃとによって、上筐体３に着替えパネル５を仮止めするための仮止係合手段３０が構成されている。
【００２３】
図３および図４に示す如く、上筐体３における装着凹部３Ａの底面には、該底面のほぼ全域を覆う、略矩形の平面形状を呈する粘着シート７が接着固定されており、該粘着シート７における上記キャップ６と臨む縁部には、内方へ大きく凹んだ切欠部７ａが形成されている。
【００２４】
ここで、上記粘着シート７は、ＰＥＴフィルムの基材表面にアクリル系粘着材を塗布して成る、いわゆるエラストマ粘着シートであり、後述する如く自己粘着性によって着替えパネル５を確実に保持し得る一方、比較的少ない力によって着替えパネル５を引剥がすことが可能である。
【００２５】
なお、上記粘着シート７としては、上述したアクリル系のエラストマ粘着シートのみならず、シリコン系、ウレタン系およびスチレン系等、様々な種類のエラストマ粘着シートを採用し得ることは言うまでもない。
【００２６】
上記構成の携帯電話機１において、上筐体３に着替えパネル５を装着する場合には、先ず、図４に示す如くキャップ６を引き出した状態において、上筐体３における一対の凹部３ａ、３ａに対し、斜め上方から着替えパネル５の一方端部５ｕにおける一対の爪部５ａ、５ａを係合させる。
【００２７】
次いで、凹部３ａおよび爪部５ａを支点とし、一方端部５ｕを上筐体３に接近させる態様で揺動させ、着替えパネル５を上筐体３の装着凹部３Ａに嵌め入れ、上筐体３に形成された左右の凹部３ｃ、３ｃに、着替えパネル５における左右側部の爪部５ｃ、５ｃを係合させるとともに、上筐体３の装着凹部３Ａに敷設された粘着シート７に着替えパネル５の裏面を貼着させる。
【００２８】
このとき、上筐体３における凹部３ｃ、３ｃに、着替えパネル５における爪部５ｃ、５ｃを係合させることで、上筐体３に対する着替えパネル５の仮止めが為される。
【００２９】
また、上筐体３の敷設した粘着シート７に、着替えパネル５を貼着させることで、上筐体３に対する着替えパネル５の仮止めが為されることとなり、言い換えれば、上述した凹部３ｃと爪部５ｃとから成る仮止係合手段３０を設けずとも、上記粘着シート７のみによって着替えパネル５を上筐体３に対し確実に仮止めすることができる。
【００３０】
上述した如く、上筐体３の装着凹部３Ａに着替えパネル５を仮止めしたのち、キャップ６を図２に示す所定位置に押入れて装着し、上記キャップ６における一対の凹部６ｂ、６ｂに対して、着替えパネル５の他方端部５ｌにおける一対の爪部５ｂ、５ｂを係合させる。
【００３１】
かくして、上記着替えパネル５は、第１係合手段１０、第２係合手段２０、仮止係合手段３０、および粘着シート７の協働作用によって、上筐体３の所定位置に装着されることとなる。
【００３２】
ここで、上記着替えパネル５は、凹部と爪部との組合せから成る係合手段に併せて、裏面のほぼ全域に貼着された粘着シート７により、上筐体３に対して確実に保持されるため、落下等の強い衝撃を受けた際の脱落や、上筐体３に対する不用意なガタつきが未然に防止されることとなる。
【００３３】
一方、上記構成の携帯電話機１において、上筐体３から着替えパネル５を取外す場合には、先ず、上筐体３からキャップ６を取外し、第２係合手段２０における着替えパネル５の爪部５ｂ、５ｂと、キャップ６の凹部６ｂ、６ｂとの係合を解く。
【００３４】
次いで、着替えパネル５の他方端部５ｌに指を掛けて引上げることによって、仮止係合手段３０における着替えパネル５の爪部５ｃ、５ｃと、上筐体３の凹部３ｃ、３ｃとの係合を解くとともに、上筐体３に敷設された粘着シート７から着替えパネル５を引き剥がしたのち、第１係合手段２０における着替えパネル５の爪部５ａ、５ａを、上筐体３の凹部３ａ、３ａから引き抜くことによって、上筐体３から着替えパネル５を取外せば良い。
【００３５】
ここで、上筐体３に装着された着替えパネル５の他方端部５ｌを引上げる際、粘着シート７の縁部に切欠き７ａを設けたことによって、着替えパネル５の他方縁部５ｌと上筐体３との間にできる僅かな隙間に爪を掛け易く、また上記粘着シート７の切欠き部７ａは着替えパネル５の裏面と貼着されていないため、他方端部５ｌに指を掛けて着替えパネル５を容易に引き上げることができる。
【００３６】
また、仮止係合手段３０の爪部５ｃと凹部３ｃとは着替えパネル５の側部に設けられているため、着替えパネルの端部に仮止め用の係合手段を設けていた従来構造に比べ、遙かに小さい力で着替えパネル５の他方端部５ｌを引き上げることができ、上筐体３に対する着替えパネル５の取外し作業を阻害することがないので、上筐体３に対する着替えパネル５の取外し作業、延いては着替えパネル５の交換作業を容易に実施することができる。
【００３７】
なお、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、機器筐体の外表面に着替えパネルを取外し自在に装着して成る様々な電子機器に対しても、本発明を極めて有効に適用し得ることは言うまでもない。
【図面の簡単な説明】
【００３８】
【図１】本発明に関わる電子機器の一実施例である折畳式の携帯電話機を示す外観斜視図。
【図２】図１に示した携帯電話機の平面図。
【図３】(ａ)は図１に示した携帯電話機から着替えパネルを取外した状態の平面図、(ｂ)は着替えパネルの平面図。
【図４】図１に示した携帯電話機の上筐体と着替えパネルとの分解斜視図。
【図５】従来の電子機器の一例である携帯電話機を示す外観斜視図。
【図６】図５に示した携帯電話機の平面図。
【図７】図５に示した携帯電話機の上筐体と着替えパネルとの分解斜視図。
【符号の説明】
【００３９】
１…携帯電話機(電子機器)、
３…上筐体(機器筐体)、
３Ａ…装着凹部、
３ａ…凹部、
３ｃ…凹部、
５…着替えパネル、
５ａ…爪部、
５ｂ…爪部、
５ｃ…爪部、
５ｕ…一方端部、
５ｌ…他方端部、
５ｓ…側部、
６…キャップ(固定部材)、
６ｂ…凹部、
７…粘着シート、
７ａ…切欠部、
１０…第１係合手段、
２０…第２係合手段、
３０…仮止係合手段。
【図１】
2008245133.tif 000003
【図２】
2008245133.tif 000004
【図３】
2008245133.tif 000005
【図４】
2008245133.tif 000006
【図５】
2008245133.tif 000007
【図６】
2008245133.tif 000008
【図７】
2008245133.tif 000009